(57)【特許請求の範囲】
【請求項１】
搬送路を案内される被記録媒体に画像を記録する記録部と、
被記録媒体を搬送し、上記記録部よりも被記録媒体の搬送向きの上流側に設けられた第１ローラと、上記第１ローラと対向して配置され、モータからの駆動力を受けて回転する第２ローラと、を備える搬送部と、
上記第２ローラの軸方向において、当該第２ローラを回転可能に支持する第１支持部と、
上記軸方向において、上記第１支持部と離れた位置で上記第２ローラを回転可能に支持する第２支持部と、
上記軸方向において上記第１支持部及び上記第２支持部の間に設けられ、上記第２ローラの上記搬送路側の表面と摺接せずに上記第２ローラに摺接する押さえ部材と、
上記押さえ部材を付勢する付勢部材と、
上記付勢部材を支持する金属製の金属支持部材と、を備え、
上記金属支持部材は、上記付勢部材が配置される平板部と、当該平板部の上記搬送向きの端部から立設する立設部と、を有することを特徴とする画像記録装置。
【請求項２】
上記立設部は、上記搬送向きにおいて、上記平板部の上流側端部及び下流側端部から立設されていることを特徴とする請求項１に記載の画像記録装置。
【請求項３】
上記付勢部材は、上記第２ローラから上記第１ローラ側への向きに上記押さえ部材を付勢することを特徴とする請求項１または２に記載の画像記録装置。
【請求項４】
上記記録部に搬送される被記録媒体を支持するプラテンを備え、
上記押さえ部材は、上記第２ローラの、上記プラテン上を搬送される被記録媒体の通過領域の上記軸方向における中央部、と摺接することを特徴とする請求項１乃至３のいずれかに記載の画像記録装置。
【請求項５】
上記押さえ部材は、上記第２ローラの上記軸方向における中央部と摺接することを特徴とする請求項１乃至３のいずれかに記載の画像記録装置。
【請求項６】
上記第２ローラは、上記中央部の上記軸方向における両側にセラミック加工がなされていることを特徴とする請求項４または５に記載の画像記録装置。
【請求項７】
上記押え部材は、
上記第２ローラの上記搬送向き下流側において、当該搬送向きと上記軸方向とに直交する方向に立設する当接部を有し、
上記当接部は、上記搬送向きの下流側から上記第２ローラに摺接可能であることを特徴とする請求項１から６のいずれかに記載の画像記録装置。
【請求項８】
上記押え部材は、
上記第２ローラの上記搬送向き上流側において、当該搬送向きと上記軸方向とに直交する方向に立設する当接部を有し、
上記当接部は、上記搬送向きの上流側から上記第２ローラに摺接可能であることを特徴とする請求項１から６のいずれかに記載の画像記録装置。
【請求項９】
上記第１ローラ及び上記第２ローラよりも上記搬送向きの上流側に設けられ、上記第１ローラ及び上記第２ローラに挟持されている被記録媒体に対する負荷を発生させる負荷部材と、を備えた請求項１から８のいずれかに記載の画像記録装置。
【請求項１０】
上記負荷部材は、上記搬送路において上記第１ローラ及び上記第２ローラよりも上記搬送向きの上流側に設けられ、被記録媒体を挟持可能な第３ローラ及び第４ローラである請求項９に記載の画像記録装置。
【請求項１１】
上記搬送路は、上記第１ローラ及び上記第２ローラよりも上記搬送向きの上流側において湾曲状に形成された湾曲路を備え、
上記負荷部材は、上記湾曲路を搬送される被記録媒体と当接する当接ガイド部材であり、
上記当接ガイド部材は、固定ガイド部材と、回動ガイド部材と、を備え、
上記固定ガイド部材と上記回動ガイド部材との間には間隔が存在することを特徴とする請求項９に記載の画像記録装置。
【請求項１２】
被記録媒体が載置されるトレイと、
上記トレイに載置された被記録媒体を、上記搬送路における上記第１ローラ及び上記第２ローラよりも上記搬送向きの上流側に向かって、給送向きに給送する給送部と、
上記トレイに載置された被記録媒体の上記給送向きの下流側の位置から立設された傾斜部材と、を備え、
上記トレイに載置された被記録媒体は、上記傾斜部材に沿って上記搬送路に給送され、
上記負荷部材は、上記傾斜部材である請求項９に記載の画像記録装置。
【発明の詳細な説明】
【技術分野】
【０００１】
本発明は、被記録媒体を搬送路に沿って搬送させ、当該被記録媒体に画像を記録する画像記録装置に関する。
【背景技術】
【０００２】
画像記録装置において、記録用紙などの被記録媒体の搬送は、ローラ対によって行われることが多い。ローラ対は、駆動源から駆動伝達され回転する駆動ローラと、駆動ローラの回転により回転する従動ローラとで構成されており、被記録媒体は、回転するローラ対に挟持されることによって搬送される。
【０００３】
ローラ対を構成するローラは、軸方向（被記録媒体の搬送方向と直交する被記録媒体の幅方向）の両端において、画像記録装置のフレームなどによって回転可能に支持されている。つまり、ローラは、軸方向の中央部においては支持されていない。よって、ローラは撓みやすい。ローラが撓むと、ローラ対は被記録媒体を挟持できないおそれがある。
【０００４】
このような問題を解決するため、特許文献１には、レジストローラの軸の中間部に、レジストローラの軸の撓みを防止するためのリブが設けられた原稿搬送装置が開示されている。
【先行技術文献】
【特許文献】
【０００５】
【特許文献１】特開平１０−２０３６９３号公報
【発明の概要】
【発明が解決しようとする課題】
【０００６】
しかし、ローラが軸方向の両端で回転可能に支持されている場合、ローラは、撓むだけではなく、搬送方向や、搬送方向と軸方向とに直交する方向に位置ずれをおこすおそれがある。
【０００７】
例えば、ローラ対（以下、第１ローラ対と記す。）よりも搬送向きの上流側に別のローラ対（以下、第２ローラ対と記す。）を設けておき、第２ローラ対による被記録媒体の搬送速度を第１ローラ対による被記録媒体の搬送速度よりも遅くすることにより、２つのローラ対の間で被記録媒体を張った状態を確保しながら搬送するように画像記録装置が構成されている場合、被記録媒体の後端が第２ローラ対から抜けた瞬間に、被記録媒体に対して搬送向きに力がかかる。これにより、第１ローラ対が、搬送方向や、搬送方向と軸方向とに直交する方向に位置ずれを起こすおそれがある。
【０００８】
また、別の例として、第１ローラ対よりも搬送向きの上流側の搬送路が湾曲状に形成されている場合に、光沢紙のような剛性の高い被記録媒体が湾曲状の搬送路を搬送されると、被記録媒体は、湾曲状の搬送路を区画する外側のガイド面に圧接された状態となる。そして、被記録媒体の後端が湾曲状の搬送路から抜けた瞬間に、被記録媒体がガイド面に圧接された状態が解消され、被記録媒体に対して搬送向きに力がかかる。これにより、第１ローラ対が、搬送方向や、搬送方向と軸方向とに直交する方向に位置ずれを起こすおそれがある。
【０００９】
そして、特許文献１に記載された原稿搬送装置では、リブを設けることによって、ローラの撓みは防止されるが、上述したようなローラの位置ずれは防止できない。
【００１０】
本発明は、上記問題に鑑みてなされたものであり、その目的は、被記録媒体を搬送させるためのローラが、被記録媒体の搬送方向や、搬送方向と軸方向とに直交する方向に撓んだり位置ずれしたりすることを低減することのできる構造を提供することにある。
【課題を解決するための手段】
【００１１】
（１）被記録媒体に画像を記録する記録部と、被記録媒体を搬送し、上記記録部よりも被記録媒体の搬送向きの上流側に設けられた第１ローラと、上記第１ローラと対向して配置され、モータからの駆動力を受けて回転する第２ローラと、を備え、被記録媒体を搬送する搬送部と、上記第２ローラの軸方向において、当該第２ローラを回転可能に支持する第１支持部と、上記軸方向において、上記第１支持部と間隔をあけて配置されており、上記第２ローラを回転可能に支持する第２支持部と、上記軸方向において上記第１支持部及び上記第２支持部の間に設けられ、上記第２ローラの上記第１ローラ側と摺接せず露出されるように上記第２ローラに摺接する押さえ部材と、上記押さえ部材を付勢する付勢部材と、上記付勢部材を支持する金属製の金属支持部材と、を備え、上記金属支持部材は、上記付勢部材が配置される平板部と、当該平板部の上記搬送向きの端部から立設する立設部と、を有する。
【００１２】
（２）上記立設部は、上記搬送向きにおいて、上記平板部の上流側端部及び下流側端部に立設されていることを特徴とする。
【００１３】
（３）上記付勢部材は、上記第２ローラから上記第１ローラ側への向きに上記押さえ部材を付勢する。
【００１４】
（４）上記記録部に搬送される被記録媒体を支持するプラテンを備え、上記押さえ部材は、上記第２ローラの、上記プラテン上を搬送される被記録媒体の通過領域の上記軸方向における中央部、と摺接する。
【００１５】
（５）上記押さえ部材は、上記第２ローラの上記軸方向における中央部と摺接する。
【００１６】
（６）上記第２ローラは、上記中央部の上記軸方向における両側にセラミック加工がなされている。
【００１７】
（７）上記押え部材は、上記第２ローラの上記搬送向き下流側において、当該搬送向きと上記軸方向とに直交する方向に立設する当接部を有し、上記当接部は、上記搬送向きの下流側から上記第２ローラに摺接可能である。
（８）上記押え部材は、上記第２ローラの上記搬送向き上流側において、当該搬送向きと上記軸方向とに直交する方向に立設する当接部を有し、上記当接部は、上記搬送向きの上流側から上記第２ローラに摺接可能である。
【００１８】
（９）上記第１ローラ及び上記第２ローラよりも上記搬送向きの上流側に設けられ、上記第１ローラ及び上記第２ローラに挟持されている被記録媒体に対する負荷を発生させる負荷部材と、を備える。
【００１９】
（１０）上記負荷部材は、上記搬送路において上記第１ローラ及び上記第２ローラよりも上記搬送向きの上流側に設けられ、被記録媒体を挟持可能な第３ローラ及び第４ローラである。
【００２０】
（１１）上記搬送路は、上記第１ローラ及び上記第２ローラよりも上記搬送向きの上流側において湾曲状に形成された湾曲路を備え、上記負荷部材は、上記湾曲路を搬送される被記録媒体と当接する当接ガイド部材であり、上記当接ガイド部材は、固定ガイド部材と、回動ガイド部材と、を備え、上記固定ガイド部材と上記回動ガイド部材との間には間隔が存在する。
【００２１】
（１２）被記録媒体が載置されるトレイと、上記トレイに載置された被記録媒体を、上記搬送路における上記第１ローラ及び上記第２ローラよりも上記搬送向きの上流側に向かって、給送向きに給送する給送部と、上記トレイに載置された被記録媒体の上記給送向きの下流側の位置から立設された傾斜部材と、を備え、上記トレイに載置された被記録媒体は、上記傾斜部材に沿って上記搬送路に給送され、上記負荷部材は、上記傾斜部材である。
【発明の効果】
【００２２】
本発明においては、被記録媒体を搬送させるための第２ローラが、被記録媒体の搬送方向や、搬送方向と軸方向とに直交する方向に撓んだり位置ずれしたりすることを低減することができる。
【図面の簡単な説明】
【００２３】
【図１】図１は、複合機１０の斜視図である。
【図２】図２は、プリンタ部１１の内部構造を模式的に示す縦断面図である。
【図３】図３は、フレーム７２と搬送ローラ６０と押さえ部材８０の斜視図である。
【図４】図４は、フレーム７２と搬送ローラ６０と押さえ部材８０の縦断面図である。
【図５】図５は、押さえ部材８０を前方左斜め上から見た斜視図である。
【図６】図６は、押さえ部材８０を前方左斜め下から見た斜視図であり、（Ａ）には搬送ローラ６０が摺接された状態がしめされており、（Ｂ）には搬送ローラ６０が摺接されていない状態が示されている。
【図７】図７は、押さえ部材８０を後方左斜め下から見た斜視図であり、（Ａ）には搬送ローラ６０が摺接された状態がしめされており、（Ｂ）には搬送ローラ６０が摺接されていない状態が示されている。
【発明を実施するための形態】
【００２４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７を定義し、開口１３が設けられている側を手前側（正面）として前後方向８を定義し、複合機１０を手前側（正面）から見て左右方向９を定義する。また、給紙トレイ２１，２２については、複合機１０に装着された状態（図１の状態）を基準として、上下方向７、前後方向８及び左右方向９を定義する。
【００２５】
［複合機１０の概略構成］
図１に示されるように、複合機１０は、直方体に概ね形成されており、上部にスキャナ部１２、下部にインクジェット記録方式のプリンタ部１１（本発明の画像記録装置の一例）が設けられている。複合機１０は、ファクシミリ機能及びプリント機能などの各種の機能を有している。なお、プリント機能以外の機能の有無は任意である。
【００２６】
プリンタ部１１の正面側に開口１３が形成されている。プリンタ部１１は、給紙トレイ２１，２２（本発明のトレイの一例）と、記録部４０（本発明の記録部の一例、図２参照）とを備えている。プリンタ部１１は、開口１３を通じて、給紙トレイ２１、２２を前後方向８に挿抜可能である。
【００２７】
図２に示されるように、給紙トレイ２１，２２には、記録用紙５０（本発明の被記録媒体の一例）が収容される。プリンタ部１１においては、記録用紙５０が、給紙トレイ２１又は給紙トレイ２２からプリンタ部１１内へ選択的に供給される。供給された記録用紙５０は、後述する第１搬送路１６を搬送向きに搬送され、記録部４０によって画像が記録された後に給紙トレイ２２の上面に設けられた排紙トレイ２３に排出される。ここで、搬送向きは、図２において矢印付きの破線及び一点鎖線で示される向きを指す。
【００２８】
図１及び図２に示されるように、給紙トレイ２１と給紙トレイ２２とは、給紙トレイ２２を上側として上下二段に配置されている。２つの給紙トレイ２１，２２が設けられることによって、それぞれにサイズや紙種が異なる記録用紙５０が保持され得る。
【００２９】
［第１搬送路１６］
図２に示されるように、給紙トレイ２１、２２の傾斜板３４、２４（本発明の傾斜板の一例）の上側から記録部４０を経由して排紙トレイ２３に至り、記録用紙５０を案内する第１搬送路１６（本発明の搬送路の一例）が、プリンタ部１１に設けられている。第１搬送路１６は、給紙トレイ２１、２２の傾斜板３４、２４の上側から後述する搬送ローラ対５９までの間において湾曲状に形成された湾曲路１７（本発明の湾曲路の一例、図２に破線で示されている。）と、搬送ローラ対５９から記録部４０の直下を介して排紙トレイ２３へ至る概ね直線状に形成された排出路１８（図２に一点鎖線で示されている。）とで構成されている。
【００３０】
湾曲路１７は、所定間隔を隔てて互いに対向する外側ガイド部材５１（本発明の外側ガイド部材及び負荷部材の一例）及び内側ガイド部材５２（本発明の内側ガイド部材の一例）によって区画されている。
【００３１】
外側ガイド部材５１は、湾曲路１７に面し、記録用紙５０の搬送向きに沿って連続する外側ガイド面１５１（本発明の当接面の一例）を備えている。また、内側ガイド部材５２は、湾曲路１７に面する内側ガイド面１５２を備えている。第１搬送路１６を搬送される記録用紙５０の剛性が高い場合、湾曲路１７は湾曲しているために、当該記録用紙５０は外側ガイド面１５１に当接しながら搬送される。
【００３２】
また、本実施形態において、外側ガイド部材５１は、軸１５３を中心として、矢印１５４の方向に回動可能な回動ガイド部材１５５と、回動ガイド部材１５５の下方においてプリンタ部１１に固定されている固定ガイド部材１５６で構成されている。回動ガイド部材１５５と固定ガイド部材１５６とは別部材であるため、両部材１５５、１５６の間には所定の間隔１５７が存在する。つまり、外側ガイド部材５１及び外側ガイド面１５１は分断されている。なお、本実施形態において、外側ガイド部材５１は一箇所で分断されているが、分断箇所は一箇所に限らず、複数箇所で分断されていてもよい。
【００３３】
排出路１８は、記録部４０、及び記録部４０よりも搬送向きの下流側に設けられた第１ガイド部材５３と、記録部４０及び第１ガイド部材５３に対して所定間隔を隔てて対向する第２ガイド部材５４とによって区画されている。
【００３４】
なお、外側ガイド部材５１、内側ガイド部材５２、第１ガイド部材５３、第２ガイド部材５４、及び後述する第３ガイド部材５５は、いずれも、図２の紙面垂直方向（図１の左右方向９）へ延びている。
【００３５】
［供給部２８，３８］
プリンタ部１１に給紙トレイ２２が装着されると、傾斜板２４が第１搬送路１６の下方に配置され、かつ給紙トレイ２２の上側に第１供給部２８（本発明の給送部の一例）が配置される。第１供給部２８は、給紙ローラ２５、アーム２６及び軸２７を有している。給紙ローラ２５は、アーム２６の先端側に回転可能に設けられている。アーム２６は、プリンタ部１１の筐体に支持された軸２７に回動可能に設けられている。アーム２６は、自重によって或いはバネ等による弾性力を受けて給紙トレイ２２側へ回動付勢されている。第１供給部２８は、給紙トレイ２２から記録用紙５０をピックアップして傾斜板２４を介して湾曲路１７に給送する。第２供給部３８（本発明の給送部の一例）は、第１供給部２８と同様の構成である。つまり、第２供給部３８は、給紙ローラ３５、アーム３６及び軸３７を有しており、給紙トレイ２１から記録用紙５０をピックアップして傾斜板３４を介して湾曲路１７に給送する。
【００３６】
［搬送ローラ対５９］
図２に示されるように、第１搬送路１６において記録部４０よりも記録用紙５０の搬送向きの上流側に搬送ローラ対５９が設けられている。搬送ローラ対５９は、搬送ローラ６０（本発明の第２ローラの一例）及びピンチローラ６１（本発明の第１ローラの一例）からなる。搬送ローラ６０は、第１搬送路１６の上側に配置されており、搬送モータ（不図示）からの駆動力を受けて回転する。ピンチローラ６１は、第１搬送路１６を挟んで搬送ローラ６０と対向して、つまり第１搬送路１６の下側に回転自在に配置されており、搬送ローラ６０へ向けてバネによって付勢されている。これにより、搬送ローラ対５９は、記録用紙５０を挟持して、第１搬送路１６に沿って記録部４０に向けて、つまり搬送向きの下流側へ搬送する。なお、搬送ローラ対５９については、後段で詳細に説明される。
【００３７】
［排出ローラ対６４］
図２に示されるように、第１搬送路１６（排出路１８）において記録部４０よりも記録用紙５０の搬送向きの下流側に排出ローラ対６４が設けられている。排出ローラ対６４は、排紙ローラ６２及び拍車６３からなる。排紙ローラ６２は、排出路１８の下側に配置されており、上記搬送モータからの駆動力を受けて回転する。拍車６３は、排出路１８を挟んで排紙ローラ６２の上側に回転自在に配置されており、排紙ローラ６２へ向けてバネによって付勢されている。これにより、排出ローラ対６４は、記録用紙５０を挟持して、排出路１８に沿って排紙トレイ２３に向けて、つまり搬送向きの下流側へ搬送する。
【００３８】
［中間ローラ対５６］
図２に示されるように、第１搬送路１６（湾曲路１７）において搬送ローラ対５９よりも記録用紙５０の搬送向きの上流側に中間ローラ対５６（本発明の負荷部材の一例）が設けられている。中間ローラ対５６は、第１中間ローラ５７（本発明の第３ローラの一例）及び第２中間ローラ５８（本発明の第４ローラの一例）からなる。第１中間ローラ５７は、湾曲路１７の外側に配置されており、上記搬送モータからの駆動力を受けて回転する。第２中間ローラ５８は、湾曲路１７を挟んで第１中間ローラ５７と対向して回転自在に配置されており、第１中間ローラ５７へ向けてバネによって付勢されている。これにより、中間ローラ対５６は、記録用紙５０を挟持して、湾曲路１７に沿って搬送ローラ対５９に向けて、つまり搬送向きの下流側へ搬送する。
【００３９】
本実施形態において、中間ローラ対５６による記録用紙５０の搬送速度は、搬送ローラ対５９による記録用紙５０の搬送速度よりも遅くなるように構成されている。例えば、第１中間ローラ５７のギヤ比は、搬送ローラ６０のギヤ比より大きく構成されている。これにより、第１中間ローラ５７の回転速度は、搬送ローラ６０の回転速度よりも遅くなり、中間ローラ対５６による記録用紙５０の搬送速度は、搬送ローラ対５９による記録用紙５０の搬送速度よりも遅くなる。また、別の例として、第１中間ローラ５７の駆動源が、搬送ローラ６０の駆動源とは異なる駆動源とされてもよい。この場合、第１中間ローラ５７の回転速度が搬送ローラ６０の回転速度よりも遅くなるように、各ローラ５７、６０の駆動源が選択及び制御される。以上のように構成されることにより、中間ローラ対５６と搬送ローラ対５９の間において、搬送される記録用紙５０は張った状態となる。つまり、中間ローラ対５６は、搬送ローラ対５９に挟持されている記録用紙５０に対して、搬送向きと反対向きの負荷を発生させている。
【００４０】
なお、第１中間ローラ５７と第２中間ローラ５８のいずれも、上記搬送モータからの駆動力を受けない構成であってもよい。この場合、中間ローラ対５６は、単に記録用紙５０を挟持するのみである。よって、記録用紙５０が搬送ローラ対５９及び中間ローラ対５６の双方に挟持されている場合、駆動力を受けて回転する搬送ローラ対５９によって挟持されている記録用紙５０の先端付近が、中間ローラ対５６によって挟持されている記録用紙５０の後端付近を引っ張る状態となる。つまり、このような構成によっても、中間ローラ対５６と搬送ローラ対５９の間で、記録用紙５０が張った状態となる。
【００４１】
［記録部４０］
図２に示されるように、記録部４０は、記録ヘッド４２を搭載して主走査方向（図２の紙面に垂直な方向）へ往復移動するキャリッジ４１を備えている。記録ヘッド４２には、インクカートリッジ（不図示）からシアン（Ｃ）・マゼンタ（Ｍ）・イエロー（Ｙ）・ブラック（Ｂｋ）の各色インクが供給される。記録ヘッド４２は、その下面に設けられたノズルから、各インクを微小なインク滴として吐出する。キャリッジ４１が主走査方向へ往復動することにより、記録ヘッド４２が記録用紙５０に対して走査され、記録部４０の下方に記録部４０と対向して設けられているプラテン４３上を排出路１８に沿って搬送される記録用紙５０に画像が記録される。プラテン４３は、排出路１８に沿って搬送される記録用紙５０を支持する部材であり、第２ガイド部材５４によって支持されている。
【００４２】
給紙トレイ２１または給紙トレイ２２から第１供給部２８または第２供給部３８によって湾曲路１７に給送された記録用紙５０は、中間ローラ対５６及び搬送ローラ対５９によって記録部４０へ案内され、記録部４０で画像が記録される。その後、排出ローラ対６４によって排紙トレイ２３に排出される。
【００４３】
［経路切換部９７及び反転ローラ対６５］
図２に示されるように、排出路１８において排出ローラ対６４よりも搬送向きの下流側に位置する記録用紙５０を、後述する第２搬送路９０へ案内するために、プリンタ部１１には経路切換部９７と反転ローラ対６５が設けられている。経路切換部９７は、排出ローラ対６４よりも搬送向きの下流側に設けられている。
【００４４】
反転ローラ対６５は、経路切換部９７よりも搬送向きの下流側に設けられている。反転ローラ対６５は、駆動ローラ６６及び拍車６７からなる。駆動ローラ６０は、搬送モータ（不図示）からの駆動力を受けて回転する。駆動ローラ６６は、正逆転可能に構成されている。
【００４５】
経路切換部９７は、フラップ９６、軸９８及び補助ローラ１００、１０１を備える。フラップ９６は、軸９８を中心として、記録用紙５０を第１搬送路１６に沿って排紙トレイ２３に排出可能な排出姿勢（図２に実線で示される姿勢）と、記録用紙５０を第２搬送路９０に案内可能な反転姿勢（図２に破線で示される姿勢）との間で回動可能に構成されている。
【００４６】
経路切換部９７は、通常状態において反転姿勢を保持しているが、記録用紙５０の上面に押されることにより、反転姿勢から排出姿勢に姿勢変化される。その後、記録用紙５０の後端部が補助ローラ１０１よりも上流側である規定位置に到達したときに、排出姿勢から反転姿勢へ姿勢変化される。これにより、記録用紙５０の後端部は、補助ローラ１０１によって下側へ押圧され、反転搬送路９０側へ向けられる。
【００４７】
両面記録が行われる場合、記録用紙５０の後端部が反転搬送路９０側へ向けられた状態において、駆動ローラ６６は正転から逆転へ切り換えられる。これにより、記録用紙５０は反転搬送路９０へスイッチバック搬送される。
【００４８】
［第２搬送路９０］
図２に示されるように、変形例１における複合機１０のプリンタ部１１には、第２搬送路９０が設けられている。第２搬送路９０は、分岐口９１で排出路１８から分岐され、合流部９２で湾曲路１７と合流する。記録用紙５０は、第２搬送路９０を図２において矢印付き２点鎖線で示される再給送向きに搬送される。記録部４０で表面に画像を記録された記録用紙５０は、第２搬送路９０を通ることによって表裏反転されて再び記録部４０に給送される。
【００４９】
第２搬送路９０は、上述した第２ガイド部材５４と、第２ガイド部材５４の下側に設けられており、第２ガイド部材５４と所定間隔を隔てて対向する第３ガイド部材５５とによって区画されている。
【００５０】
なお、第２搬送路９０には、再送ローラ６９及びピンチローラ７０よりなる再送ローラ対６８が設けられている。再送ローラ対６８は、記録用紙５０を挟持して、分岐口９１から合流部９２へ搬送する。
【００５１】
［フレーム７２］
図３及び図４に示されるように、プリンタ部１１は、その筐体の内部に金属製のフレーム７２（本発明の支持部材の一例）を備えている。フレーム７２は、プリンタ部１１の筐体に取り付けられている。フレーム７２は、フレーム本体７３と、フレーム本体７３の上側においてフレーム本体７３に取り付けられた一対のガイド部材７６、７７とを備えている。
【００５２】
ガイド部材７６、７７は、排出路１８の上側に配置されている。また、ガイド部材７６、７７は、記録用紙５０の搬送向きに所定間隔をあけて配置され、排出路１８の幅方向（左右方向９）に延びている。上述した記録ヘッド４２はキャリッジ４１に保持されており、キャリッジ４１がガイド部材７６、７７に支持され、排出路１８の幅方向にスライド自在となっている。
【００５３】
ガイド部材７６の左右方向９の中央部に、前後方向８の延びた一対の長孔７８が設けられている。後述する押さえ部材８０の傾斜部８３が、長孔７８に挿通される。また、ガイド部材７６の一対の長孔７８の間に、概ね矩形の開口７９が設けられており、開口７９の前側面から後向きに延びた突起８９が設けられている。
【００５４】
排出路１８の左右両端部に設けられたフレーム本体７３の右側板７４及び左側板７５に、搬送ローラ６０が、軸方向（左右方向９）の両端で回転可能に支持されている。搬送ローラ６０は、左右方向９を軸方向としてに延設され、一本で構成された円筒状のローラであり、鋼鉄製である。搬送ローラ６０の表面を構成し、第１搬送路１６に沿って搬送される記録用紙５０と当接するローラ面１６０（本発明のローラ面に相当）のうち左右方向９の中央部１６１以外は、セラミック加工がなされている。また、図６（Ａ）及び図７（Ａ）に示されるように、後述する押さえ部材８０によって摺接される箇所、つまり搬送ローラ６０の左右方向９の中央部１６１は、セラミック加工がされておらず、鋼材が剥きだしとなっている。
【００５５】
［押さえ部材８０］
図３及び図４に示されるように、押さえ部材８０（本発明の押さえ部材の一例）が、ガイド部材７６の下側に配置されている。図５〜７に示されるように、押さえ部材８０は、本体部８１（本発明の本体部の一例）、当接部８２（本発明の当接部の一例）、傾斜部８３（本発明の傾斜部の一例）及び支点部８４（本発明の支点部の一例）で構成されている。  
【００５６】
本体部８１は、概ね矩形の板状部材であり、前後方向８へ長くなるように、ガイド部材７６の下側に配置される。本体部８１は、平板１１０と、平板１１０の左右方向９における両端から立設された側板１１１とで構成されている。
【００５７】
傾斜部８３が、本体部８１の上面から、詳細には本体部８１の側板１１１後端近傍且つ左右方向９の両端から、上向きに立設されている。傾斜部８３は、ガイド部材７６に設けられた長孔７８に挿通される。これにより、傾斜部８３の突端は、ガイド部材７６の上面から突き出た状態となる。また、押さえ部材８０は、長孔７８の方向に沿って、つまり前後方向８に沿って移動可能となる。換言すると、押さえ部材８０は、フレーム７２に対して、排出路１８における記録用紙５０の搬送方向に沿って移動可能である。
【００５８】
傾斜部８３は、少なくともその前端が前方（搬送向き）かつ斜め上向きに立設されている。つまり、傾斜部８３は、その前端に傾斜面を有している。そして、当該傾斜面のうち、ガイド部材７６の上面から突き出た部分に、バネ８５（本発明の付勢部材の一例）が取り付けられる。図５に示されるように、バネ８５は、左右対称の形状である。バネ８５の中央部８６（図７参照）が、ガイド部材７６に設けられた突起８９に引っ掛けられ、バネ８５の両端に設けられた屈曲部８７が、長孔７８からガイド部材７６の上方に突き出た傾斜部の８３の傾斜面に引っ掛けられる。バネ８５が傾斜面に引っ掛けられると、図４に矢印で示されるような傾斜面に垂直な力１１５が傾斜面にかかる。つまり、垂直な力１１５が分解された力（後向きの力１１６及び上向きの力１１７）が、傾斜面にかかる。つまり、バネ８５が傾斜部８３の下方から押し当てられることにより、傾斜部８３を含む押さえ部材８０は、後向き及び上向きに付勢される。
【００５９】
図５〜７に示されるように、当接部８２が、本体部８１の下面から、詳細には本体部８１の平板１１０の前端近傍から、下向きに立設されている。つまり、当接部８２は、傾斜部８３よりも記録用紙５０の搬送向きの下流側において、下向きに立設されている。
【００６０】
当接部８２は、左右方向９に延設されており、下端近傍のみが開放された円弧状の縦断面を有している。当該円弧の内径は、搬送ローラ６０の直径と略同一である。詳細には、当該円弧の内径は、搬送ローラ６０のうち、鋼材が剥きだしとなった左右方向９の中央部１６１の直径と略同一である。これにより、当接部８２の当該円弧の内面は、下側以外の向きから、搬送ローラ６０のローラ面１６０の中央部１６１に対して摺接される。つまり、当接部８２を含む押さえ部材８０は、少なくとも上側及び記録用紙５０の搬送向きの下流側から、搬送ローラ６０のローラ面１６０の中央部１６１に対して摺接される。
【００６１】
また、上述したように、当接部８２は、下端近傍のみが開放されている。そのため、当接部８２は、搬送ローラ６０のローラ面１６０の中央部１６１のうち下側の面１６２に対して摺接されない。つまり、当接部８２は、搬送ローラ６０のローラ面１６０の中央部１６１のうち下側の面１６２がピンチローラ６１に対して露出されるように、搬送ローラ６０に摺接される。ここで、搬送ローラ６０の下側は、ピンチローラ６１によって付勢されており、搬送ローラ６０は、ローラ面１６０の下側の面において、ピンチローラ６１との間で記録用紙５０を挟持する。つまり、搬送ローラ６０のローラ面１６０の下側の面は、本発明のニップ面に相当する。
【００６２】
図４に示されるように、支点部８４が、本体部８１の側板１１１の前後方向８における概ね中央（本実施形態では中央よりも若干前方）から、上向きに立接されている。つまり、支点部８４は、傾斜部８３よりも記録用紙５０の搬送向きの下流側、かつ当接部８２よりも記録用紙５０の搬送向きの上流側において、本体部８１の上面から立設されている。支点部８４の突端は、ガイド部材７６の下面と点１１２において圧接されている。つまり、支点部８４は、下方からガイド部材７６を含むフレーム７２を押し当てている。上述したように、傾斜部８３は、バネ８５によって付勢された状態であり、当接部８２は、搬送ローラ６０と摺接した状態である。これにより、傾斜部８３は、点１１２を中心として、矢印１１３の方向に回動可能となり、当接部８２は、点１１２を中心として、矢印１１４の方向に回動可能となる。
【００６３】
［実施形態の効果］
搬送ローラ対５９が、中間ローラ対５６よりも高速で記録用紙５０を搬送させた場合、或いは、第１中間ローラ５７と第２中間ローラ５８のいずれも、搬送モータからの駆動力を受けない構成である場合などにおいて、記録用紙５０が搬送ローラ対５９及び中間ローラ対５６に挟持されると、搬送ローラ対５９及び中間ローラ対５６の間においては、記録用紙５０が張った状態となる。当該状態において、記録用紙５０が搬送向きに搬送されることにより、記録用紙５０の後端が中間ローラ対５６から抜けると、その瞬間に、記録用紙５０には搬送向きに力がかかる。すると、記録用紙５０を挟持している搬送ローラ６０にも搬送向きに力がかかる。しかし、上述の実施形態によれば、バネ８５が押さえ部材８０を搬送向きと反対向きに付勢している。これにより、搬送ローラ６０は、押さえ部材８０によって搬送向きと反対向きに押される。つまり、搬送ローラ６０には搬送向きと反対向きに力がかかる。よって、中間ローラ対５６による負荷がなくなることによって搬送ローラ６０にかかる搬送向きの力は、バネ８５によって搬送ローラ６０にかかる搬送向きと反対向きの力によって相殺される。これにより、被記録媒体を搬送させるための第２ローラが、被記録媒体の搬送方向に撓んだり位置ずれしたりすることを低減することができる。
【００６４】
記録用紙５０の先端付近が搬送ローラ対５９に挟持されている場合、記録用紙５０の後端付近は湾曲路１７に位置している。この場合、記録用紙５０の後端付近は、外側ガイド部材５１の外側ガイド面１５１に圧接された状態となることがある。特に、記録用紙５０の剛性が高い場合、その可能性が高くなる。当該状態において、記録用紙５０の後端が外側ガイド面１５１が分断されている箇所に位置すると、つまり回動ガイド部材１５５と固定ガイド部材１５６の境界に存在する所定の間隔１５７に位置すると、その瞬間に、記録用紙５０が外側ガイド面１５６に圧接された状態が解消され、記録用紙５０及び搬送ローラ６０に対して搬送向きに力がかかる。つまり、この場合、外側ガイド部材５１が本発明の負荷部材に相当する。しかし、上述したように、搬送ローラ６０に対する搬送向きの力は、バネ８５による搬送向きと反対向きの力によって相殺される。これにより、記録用紙５０を搬送させるための搬送ローラ６０が、記録用紙５０の搬送方向に撓んだり位置ずれしたりすることを低減することができる。
【００６５】
また、記録用紙５０の先端付近が搬送ローラ対５９に挟持され、かつ記録用紙５０の後端付近が給紙トレイ２１，２２の傾斜板２４，３４に位置している場合、当該後端付近は、傾斜板２４，３４に圧接された状態となることがある。特に、記録用紙５０の剛性が高い場合、その可能性が高くなる。当該状態において、記録用紙５０の後端が傾斜板２４，３４を抜けて湾曲路１７に突入すると、その瞬間に、記録用紙５０が傾斜板２４，３４に圧接された状態が解消され、記録用紙５０及び搬送ローラ６０に対して搬送向きに力がかかる。つまり、この場合、傾斜板２４，３４が本発明の負荷部材に相当する。しかし、上述したように、搬送ローラ６０に対する搬送向きの力は、バネ８５による搬送向きと反対向きの力によって相殺される。これにより、記録用紙５０を搬送させるための搬送ローラ６０が、記録用紙５０の搬送方向に撓んだり位置ずれしたりすることを低減することができる。
【００６６】
同様に、記録用紙５０の先端付近が搬送ローラ対５９に挟持され、かつ記録用紙５０の後端付近が第２搬送路９０に位置している場合、当該後端付近は、第３ガイド部材５５に圧接された状態となることがある。特に、記録用紙５０の剛性が高い場合、その可能性が高くなる。当該状態において、記録用紙５０の後端が第３ガイド部材５５を抜けて湾曲路１７に突入すると、その瞬間に、記録用紙５０が第３ガイド部材５５に圧接された状態が解消され、記録用紙５０及び搬送ローラ６０に対して搬送向きに力がかかる。つまり、この場合、第３ガイド部材５５が本発明の負荷部材に相当する。しかし、上述したように、搬送ローラ６０に対する搬送向きの力は、バネ８５による搬送向きと反対向きの力によって相殺される。これにより、記録用紙５０を搬送させるための搬送ローラ６０が、記録用紙５０の搬送方向に撓んだり位置ずれしたりすることを低減することができる。
【００６７】
また、上述の実施形態においては、傾斜部８３がバネ８５に下方から押し当てられることにより搬送向きの反対向きに付勢される。これにより、搬送ローラ６０には搬送向きと反対向きに力がかかる。よって、搬送ローラ６０に対して搬送向きの力がかかっても、バネ８５による搬送向きと反対向きの力によって相殺される。これにより、記録用紙５０を搬送させるための搬送ローラ６０が、記録用紙５０の搬送方向に撓んだり位置ずれしたりすることを低減することができる。
【００６８】
また、上述の実施形態においては、傾斜部８３がバネ８５に下方から押し当てられることにより上向きにも付勢される。これにより、矢印１１３の方向に回動可能な傾斜部８３は、矢印１１３の方向に沿って上向きに回動される。すると、当接部８２には、てこの原理により、下向きの力がかかる。これにより、矢印１１４の方向に回動可能な当接部８２は、矢印１１４の方向に沿って下向きに回動される。つまり、支点部８４が支点として、傾斜部８３が力点として、当接部８２が作用点として働くのである。これにより、搬送ローラ６０は当接部８２によって下向きに押された状態となるため、搬送ローラ６０の上下方向７への撓みや位置ずれを低減することができる。
【００６９】
［実施形態の変形例］
上述の実施形態においては、搬送ローラ６０が第１搬送路１６の上側に配置され、ピンチローラ６１が第１搬送路１６の下側に配置された構成について説明したが、搬送ローラ６０が第１搬送路１６の下側に配置され、ピンチローラ６１が第１搬送路１６の上側に配置されていてもよい。この場合、押さえ部材８０は、例えば、上述の実施形態に対して上下対称に構成されており、第１搬送路１６の下側に配置された搬送ローラ６０に摺接される。
【符号の説明】
【００７０】
１０：複合機
１１：プリンタ部
１６：第１搬送路
１７：湾曲路
４０：記録部
５１：外側ガイド部材
５２：内側ガイド部材
５６：中間ローラ対
５７：第１中間ローラ
５８：第２中間ローラ
６０：搬送ローラ
６１：ピンチローラ
７２：フレーム
８０：押さえ部材
８１：本体部
８２：当接部
８３：傾斜部
８４：支点部
８５：バネ
１５１：外側ガイド面              
【図１】
0005614480.tif 000002
【図２】
0005614480.tif 000003
【図３】
0005614480.tif 000004
【図４】
0005614480.tif 000005
【図５】
0005614480.tif 000006
【図６】
0005614480.tif 000007
【図７】
0005614480.tif 000008